(57)【要約】【課題】収納部の数より多い種類の物品を収納部に収納しても、異なった種類の物品が混在しにくい、収納具を提供する。【解決手段】この発明の収納具１０は、上端に開口部４８を有し且つ該開口部４８に続く収納部４０を有する袋状部４４を、該袋状部４４の周縁又は周縁の近傍において前後方向に複数並列された収納具であって、前記袋状部４４の収納部４０は、その中にシート部９０を設けられ、前後方向に分割されたことを特徴とし、前記シート部９０は、前記袋状部４４の高さより高く形成され、開口部４８より突き出されている。【選択図】図１
2014133307.tif 000002
【特許請求の範囲】
【請求項１】
上端に開口部を有し且つ該開口部に続く収納部を有する袋状部を、該袋状部の周縁又は周縁の近傍において前後方向に複数並列された収納具であって、
前記袋状部の収納部は、その中にシート部を設けられ、前後方向に分割されたことを特徴とする、収納具。
【請求項２】
前記シート部は、前記袋状部の高さより高く形成され、開口部より突き出された、請求項１に記載の収納具。
【請求項３】
前記シート部は、その端部にインデックス片ないしはインデックス部を設けた、請求項１または請求項２に記載の収納具。
【請求項４】
前記収納部は、底部にシート嵌挿孔が形成され、
前記シート部は、下端に折り返し部を介して折り返し片が設けられ、
前記折り返し片を前記シート嵌挿孔に挿通して前記折り返し部で袋状部に折り返すことによって、前記シート部が前記収納部の中に固定された、請求項１ないし請求項３のいずれかに記載の収納具。
【請求項５】
前記折り返し部の幅は、前記折り返し片の幅より狭く形成され、かつ、前記シート嵌挿孔の長さより狭く形成された、請求項４に記載の収納具。
【請求項６】
前記折り返し部に係合部材嵌挿孔を設けられ、
前記袋状部の側部を構成する係合部材が前記係合部材嵌挿孔に通された、請求項４または請求項５に記載の収納具。
【請求項７】
前記シート部は、両側部に折り返し部を介して折り返し片が設けられ、
前記折り返し片は、前記袋状部の側部を構成する係合部材とともに折り返して前記袋状部にシート部が取り付けられた、請求項１ないし請求項６のいずれかに記載の収納具。
【請求項８】
前記シート部の幅は、前記袋状部の幅より狭く形成された、請求項１ないし請求項７のいずれかに記載の収納具。
【発明の詳細な説明】
【技術分野】
【０００１】
この発明は収納具に関し、特に、上端に開口部を有し、厚さ方向に並列された複数の袋状部を備え、例えば、葉書、通帳、カードなどを袋状部に収納することができる、収納具に関する。
【背景技術】
【０００２】
この発明の背景となる従来の小物収容具の一例が、例えば特開平９−１５６６４８号公報に開示されている（特許文献１参照）。特許文献１に開示されている小物収容具は、複数の収容部が蛇腹状に形成されたものである。
さらに、この発明の背景となる従来の多層仕切収納具の一例が、例えば実開平３−７２４８４号公報に開示されている（特許文献２参照）。特許文献２に開示されている多層仕切収納具は、複数個の仕切袋を互いに重ね合せてなる蛇腹状の多層仕切袋を備えたものである。
【先行技術文献】
【特許文献】
【０００３】
【特許文献１】特開平９−１５６６４８号公報
【特許文献２】実開平３−７２４８４号公報
【発明の概要】
【発明が解決しようとする課題】
【０００４】
ところが、そのような従来の小物収容具や多層仕切収納具では、収容部や仕切袋の数より多い種類の物品を収容部や仕切袋に収納すると、異なった種類の物品が混在してしまう。
【０００５】
それゆえに、この発明の主たる目的は、収納部の数より多い種類の物品を収納部に収納しても、異なった種類の物品が混在しにくい、収納具を提供することである。
【課題を解決するための手段】
【０００６】
この発明の請求項１にかかる収納具は、上端に開口部を有し且つ該開口部に続く収納部を有する袋状部を、該袋状部の周縁又は周縁の近傍において前後方向に複数並列された収納具であって、前記袋状部の収納部は、その中にシート部を設けられ、前後方向に分割されたことを特徴とする、収納具である。
この発明の請求項２にかかる収納具においては、前記シート部は、前記袋状部の高さより高く形成され、開口部より突き出された、請求項１に記載の収納具である。
この発明の請求項３にかかる収納具においては、前記シート部は、その端部にインデックス片ないしはインデックス部を設けた、請求項１または請求項２に記載の収納具である。
この発明の請求項４にかかる収納具においては、前記収納部は、底部にシート嵌挿孔が形成され、前記シート部は、下端に折り返し部を介して折り返し片が設けられ、前記折り返し片を前記シート嵌挿孔に挿通して前記折り返し部で袋状部に折り返すことによって、前記シート部が前記収納部の中に固定された、請求項１ないし請求項３のいずれかに記載の収納具である。
この発明の請求項５にかかる収納具においては、前記折り返し部の幅は、前記折り返し片の幅より狭く形成され、かつ、前記シート嵌挿孔の長さより狭く形成された、請求項４に記載の収納具である。
この発明の請求項６にかかる収納具は、前記折り返し部に係合部材嵌挿孔を設けられ、前記袋状部の側部を構成する係合部材が前記係合部材嵌挿孔に通された、請求項４または請求項５に記載の収納具である。
この発明の請求項７にかかる収納具においては、前記シート部は、両側部に折り返し部を介して折り返し片が設けられ、前記折り返し片は、前記袋状部の側部を構成する係合部材とともに折り返して前記袋状部にシート部が取り付けられた、請求項１ないし請求項６のいずれかに記載の収納具である。
この発明の請求項８にかかる収納具においては、前記シート部の幅は、前記袋状部の幅より狭く形成された、請求項１ないし請求項７のいずれかに記載の収納具である。
【発明の効果】
【０００７】
請求項１の発明によれば、上端に開口部を有し且つ該開口部に続く収納部を有する袋状部を、該袋状部の周縁又は周縁の近傍において前後方向に複数並列された収納具であって、前記袋状部の収納部は、その中にシート部を設けられ、前後方向に分割されているので、収納部の数より多い種類の物品を収納部に収納しても、異なった種類の物品が混在しにくい、収納具を得ることができる。
請求項２の発明によれば、前記シート部は、前記袋状部の高さより高く形成され、開口部より突き出されているので、カード等の被収納物を、シート部をガイドとして取り出し易く且つ被収納物を見易い。
請求項３の発明によれば、前記シート部は、その端部にインデックス片ないしはインデックス部を設けているので、シート部によって分割された収納部の中の被収納物を探し出し易い。
請求項４の発明によれば、前記収納部は、底部にシート嵌挿孔が形成され、前記シート部は、下端に折り返し部を介して折り返し片が設けられ、前記折り返し片を前記シート嵌挿孔に挿通して前記折り返し部で袋状部に折り返すことによって、前記シート部が前記収納部の中に固定されているので、シート嵌挿孔に折り返し片を挿入して袋状部に効率よくシート部を取り付けることができ、生産効率をあげることができる。
請求項５の発明によれば、前記折り返し部の幅は、前記折り返し片の幅より狭く形成され、かつ、前記シート嵌挿孔の長さより狭く形成されているので、折り返し部を袋状部に確実に取り付けることができる。
請求項６の発明によれば、前記折り返し部に係合部材嵌挿孔を設けられ、前記袋状部の側部を構成する係合部材が前記係合部材嵌挿孔に通されているので、折り返し部を袋状部に容易に取り付けることができる。
請求項７の発明によれば、前記シート部は、両側部に折り返し部を介して折り返し片が設けられ、前記折り返し片は、前記袋状部の側部を構成する係合部材とともに折り返して前記袋状部にシート部が取り付けられているので、折り返し部を袋状部に容易に取り付けることができる。
請求項８の発明によれば、前記シート部の幅は、前記袋状部の幅より狭く形成されているので、袋状部の開口部を開いたときに、袋状部の幅方向の長さが短くなっても、シート部が撓むことがない。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明の第１の実施の形態の収納具の収納部の構造の展開状態を示す斜視図解図である。
【図２】この発明の第１の実施の形態の収納具の収納部を閉じた状態を示す斜視図解図である。
【図３】収納部の平面図解図である。
【図４】収納部の正面図解図である。
【図５Ａ】収納部の斜視図解図である。
【図５Ｂ】収納部の平面図解図である。
【図６】収納部の背面図解図である。
【図７】収納部の背面図解図である。
【図８】収納部材の展開状態を示す平面図解図である。
【図９】収納部材の展開状態を示す拡大平面図解図である。
【図１０】収納部材により収納部を組み立てる方法を示す斜視図解図である。
【図１１】収納部材により収納部を組み立てる方法を示す斜視図解図である。
【図１２】収納部材により収納部を組み立てる方法を示す斜視図解図である。
【図１３】収納部材により収納部を組み立てる方法を示す斜視図解図である。
【図１４】収納部材により収納部を組み立てる方法を示す背面図解図である。
【図１５】収納部材により収納部を組み立てる方法を示す正面図解図である。
【図１６】収納部材により収納部を組み立てる方法を示す横断面図解図である。
【図１７Ａ】表紙部に収納部を固定する方法を示す平面図解図である。
【図１７Ｂ】表紙部に収納部を固定する方法を示す断面図解図である。
【図１８】図１図示収納具の変形例の収納部材の展開状態を示す平面図解図である。
【図１９】シート部材の変形例により収納部を組み立てる方法を示す正面図解図である。
【図２０】シート部材の変形例により収納部を組み立てる方法を示す正面図解図である。
【図２１】シート部材の変形例により収納部を組み立てる方法を示す正面図解図である。
【図２２】シート部材の変形例により収納部を組み立てる方法を示す正面図解図である。
【図２３】シート部材の変形例により収納部を組み立てる方法を示す正面図解図である。
【図２４】この発明にかかる実施の形態の収納具の表紙体の斜視図解図である。
【図２５】この発明にかかる実施の形態の収納具の表紙体の平面図解図である。
【図２６】表紙部を組み立てる方法を示す平面図解図である。
【図２７】表紙部を組み立てる方法を示す平面図解図である。
【図２８】表紙部を組み立てる方法を示す平面図解図である。
【発明を実施するための形態】
【００１０】
この発明にかかる収納具１０は、表紙部２０と、表紙部２０の内面に設けられた、収納部４０とを備える。
この収納具１０は、複数の葉書、カード体等の被収納物Ｘを並列して収納するものであり、例えば、葉書等のシート体、クレジットカード、名刺、小物等の比較的薄い板状体の収納に適している。
【００１１】
表紙部２０は、比較的硬質なプラスチック板製であり、収納部４０を覆う適宜な広さを有する略方形状の表胴部２２及び略方形状の裏胴部２４と、表胴部２２と裏胴部２４との間に架設された略方形状の底部２６とを含む。底部２６は、背表紙としても利用できる。
【００１２】
収納部４０は、前記表胴部２２と前記裏胴部２４との間において、開口部４８を有する袋状部４４が前後方向に連続して複数並列して設けられている。
袋状部４４は、ポリプロピレン等の比較的柔軟なプラスチックシート製であり、略方形の第１主面部５２と底縁部６４を挟んで第１主面部５２に対向する略方形の第２主面部５４とを、直線状の底縁部６４及び底縁部６４と平行な手前側の開口縁部８０及び向こう側の開口縁部８２において連続されて袋状の収納部４０を形成されている。
袋状部４４は、底縁部６４及び手前側の開口縁部８０並びに向こう側の開口縁部８２と交差する直線状の右側の第１側縁部７２並びに直線状の左側の第２側縁部７４において囲繞された袋状の収納部４０を形成されている。
第１側縁部７２と第２側縁部７４との間において第１主面部５２と第２主面部５４とは、それぞれが離れた直線状の手前側の開口縁部８０及び向こう側の開口縁部８２を形成されている。
【００１３】
この袋状部４４は、前後方向の中央において収納部４０を区画され、手前側の第１収納部４２ａと向こう側の第２収納部４２ｂとに、それぞれ薄い板状体の被収納物Ｘが収納可能である。
第１収納部４２ａは、手前側の開口縁部８０と向こう側の開口縁部８２との間の開口部４８が伸縮自在に形成され、且つ、第２収納部４２ｂは、手前側の開口縁部８０と向こう側の開口縁部８２との間の開口部４８が伸縮自在に形成されている。
第１側縁部７２及び第２側縁部７４は、上下方向にのびて、水平方向にのびる手前側の開口縁部８０並びに向こう側の開口縁部８２及び底縁部６４と直交する。
【００１４】
前記袋状部４４の収納部４０は、その中にシート部９０を設けられ、前後方向に分割されている。収納部４０は、シート部９０によって前後方向の中央において区画され、手前側の第１収納部４２ａと向こう側の第２収納部４２ｂとに分かれている。
第１収納部４２ａは、手前側の開口縁部８０とシート部９０との間に開口部４８を形成され、第２収納部４２ｂは、向こう側の開口縁部８２とシート部９０との間に開口部４８を形成される。
シート部９０は、正面視略方形のポリプロピレン等の比較的柔軟なプラスチックシートで形成されている。
前記シート部９０の幅は、前記袋状部４０の幅より狭く形成されている。
前記シート部９０は、前記袋状部４０の高さより高く形成され、開口部４８より突き出されている。
シート部９０は、直線状の上縁部９２ａと、該上縁部９２ａと略平行な直線状の下縁部９２ｂと、上縁部９２ａ及び下縁部９２ｂと直交する右側縁部９２ｃと左側縁部９２ｄとを有する。右側縁部９２ｃと左側縁部９２ｄとは、略平行である。
前記シート部９０は、その上縁部９２ａに、舌状のインデックス片ないしはインデックス部を設けられている。
【００１５】
前記シート部９０は、下縁部９２ｂに、略正面視方形の折り返し部９４を介して略正面視方形の折り返し片９６が突き出し設けられている。
折り返し片９６は、シート部９０の本体と一体成形されている。
折り返し片９６は、下端から内方に向けて穿設されたスリット状の係合部材嵌挿孔９８が形成されている。
係合部材嵌挿孔９８は、後述する係合部材（第１係合部材５６ａ，第４係合部材５６ｂ，第２係合部材５８ａ，第３係合部材５８ｂ）を嵌挿できる。
この実施の形態においては、係合部材嵌挿孔９８は、右側縁部９２ｃ側に偏った位置に形成され、シート部９０の本体の下端縁よりわずかに中に入った位置に形成されている。
【００１６】
収納部４０は、開口部４８を有する袋状部４４が開口部４８を構成する手前側の開口縁部８０及び向こう側の開口縁部８２において複数並列して連続して連結されており、隣接する第１袋状部４４ａと第２袋状部４４ｂとを連結する袋状部４４の手前側の開口縁部８０と向こう側の開口縁部８２との間の空間が伸縮自在に形成されている。
袋状部４４を構成する各第１袋状部４４ａ及び第２袋状部４４ｂは、同形、同大で、手前側の開口縁部８０並びに向こう側の開口縁部８２及び底縁部６４は、水平面上に一直線に並び、第１側縁部７２及び第２側縁部７４は、垂直の平面上に一直線に並ぶ。
袋状部４４は、袋状部４４の幅方向における一端である第１側縁部７２及び他端である第２側縁部７４が平行な、正面視方形状に形成されている。
この収納具１０は、袋状部４４の収納部４０より、シート部９０の本体の幅（右側縁部９２ｃと左側縁部９２ｄとの間の幅）が狭いので、袋状部４４の開口部４８を開いたときに、袋状部４４の両側が内側に変形しても、シート部９０が撓むことがない。そのために、収納部４０に収納されている、例えば、葉書、カード等の被収納物Ｘの上端部どうしは、接触しにくい。
なお、前記袋状部４４の幅方向における両側の収納部４０が上方に向かうに従って広がるように、前記袋状部４４の幅方向における一端である第１側縁部７２及び他端である第２側縁部７４は、斜めに形成されて、正面視台形状に形成されてもよい。
【００１７】
この実施の形態においては、手前側の開口縁部８０及び向こう側の開口縁部８２と底縁部６４とは平行で、手前側の開口縁部８０並びに向こう側の開口縁部８２及び底縁部６４と第１側縁部７２及び第２側縁部７４とは、直交する。
第１側縁部７２及び第２側縁部７４は、底縁部６４と手前側の開口縁部８０及び向こう側の開口縁部８２との間において、形成されている。
収納部４０は、表紙部２０の表胴部２２と裏胴部２４との間に固定されることにより、表紙部２０の開閉に伴って収納部４０の開口部４８側が拡がる略扇子状又は底縁部６４と開口部４８とが略々均等に拡がる略アコーディオン状に伸縮する。
なお、一端である第１側縁部７２と他端である第２側縁部７４とは交差する方向にのび、第１側縁部７２と第２側縁部７４とは上方に向かうに従ってその間の幅が拡がるテーパー状に形成されてもよい。
【００１８】
前記収納部４０を構成する袋状部４４は、一枚のポリプロピレン等のプラスチック製シート状で一体の収納部材５０により構成されている。収納部材５０は、表面及び裏面が平面状のシート状体である。
収納部材５０は、トムソン加工により形成された溝による境界によって、第１主面部５２及び第２主面部５４と、底縁部６４及び開口部４８と、第１側縁部７２及び第２側縁部７４とを区画されている。
収納部材５０は、手前側（表胴側）より向こう側（裏胴側）に向かって、第１袋状部４４ａと第２袋状部４４ｂとが交互に並列されるように構成されており、最も手前側の第１グループを構成する第１袋状部４４ａ及び第２袋状部４４ｂと、第１グループに続く向こう側の第２グループを構成する第１袋状部４４ａ及び第２袋状部４４ｂとを有している。
更に、収納部材５０は、第１グループ（第１袋状部４４ａ及び第２袋状部４４ｂで構成されている）に続く第２グループ（第１袋状部４４ａ及び第２袋状部４４ｂで構成されている）に引き続いて、その第２グループの袋状部４４と同じ構造の第２グループの袋状部４４が並列されるように、複数の第１袋状部４４ａと第２袋状部４４ｂとが交互に並列されるように構成されている。
【００１９】
収納部材５０は、最も手前の第１グループを構成する第１袋状部４４ａの第１主面部５２に形成された第１表紙固定部６０と、最も向こう側の第２グループを構成する第２袋状部４４ｂの第２主面部５４に形成された第２表紙固定部６２とを有している。
第１表紙固定部６０は、第１主面部５２の手前側端縁より突設された、横長の舌片状体であり、第２表紙固定部６２は、第２主面部５４の向こう側端縁より突設された、横長の舌片状体である。
前記第１主面部５２と第２主面部５４とは、底縁部６４（第１境界６４ａ）と、手前側の開口縁部８０（第２境界８０ａ及び第４境界８０ｂ）及び向こう側の開口縁部８２（第２境界８０ａ及び第４境界８０ｂ）とを交互に挟んで連続される。
【００２０】
第１主面部５２及び第２主面部５４は、正面視長方形であって、それらは、略々同形、同大であり、第１境界６４ａ及び第３境界６４ｂを中心に略々対称に形成されている。
第１主面部５２及び第２主面部５４は、上側端と下側端とが直線状で、各第１主面部５２の手前側の上端縁（手前側の開口縁部８０）と向こう側の上端縁（向こう側の開口縁部８２）は平行に形成され、且つ第２主面部５４の手前側の上端縁（手前側の開口縁部８０）及び向こう側の上端縁（向こう側の開口縁部８２）は平行に形成されている。
【００２１】
第１主面部５２の手前側の上端縁（手前側の開口縁部８０）を構成する第２境界８０ａ並びに第４境界８０ｂ及び第２主面部５４の向こう側の上端縁（向こう側の開口縁部８２）を構成する第２境界８０ａ並びに第４境界８０ｂは、略直線であり、平行状に、手前側から向こう側に並列される。
第２境界８０ａは、第１袋状部４４ａと第２袋状部４４ｂとからなる第１グループの、第２袋状部４４ｂの第１主面部５２と、第１袋状部４４ａの第２主面部５４との間の境界であり、第２袋状部４４ｂの手前側端縁（手前側の開口縁部８０）を構成するとともに、第１袋状部４４ａの向こう側端縁（向こう側の開口縁部８２）を構成する。
第４境界８０ｂは、前記第１グループに続く第２グループの第１袋状部４４ａを構成する第１主面部５２と第１グループの第２袋状部４４ｂを構成する第２主面部５４との間の境界であり、第１グループの第２袋状部４４ｂの向こう側端縁（向こう側の開口縁部８２）を構成するとともに、第２グループの第１袋状部４４ａの手前側端縁（手前側の開口縁部８０）を構成する。
開口縁部を構成する第２主面部５４と第１主面部５２との間の第２境界８０ａ並びに第４境界８０ｂは、略直線状であり、平行状に、手前側から向こう側に並列される。
第２境界８０ａと第４境界８０ｂとの間に形成された第１境界６４ａ及び第３境界６４ｂは、略直線状であり、平行状に、手前側から向こう側に並列される。
【００２２】
第１主面部５２の第１側縁部７２は、直線状で、第１境界６４ａ及び第３境界６４ｂと直交し、第１主面部５２の第２側縁部７４は、直線状で、第１境界６４ａ及び第３境界６４ｂと直交する。
第１主面部５２の第１側縁部７２（第５境界７２ａ）は、直線状で、第１境界６４ａと直交し、第１主面部５２の第２側縁部７４（第６境界７４ａ）は、直線状で第１境界６４ａと直交する。
第２主面部５４の第１側縁部７２（第７境界７２ｂ）は、直線状で、第３境界６４ｂと直交し、第２主面部５４の第２側縁部７４（第８境界７４ｂ）は、直線状で第３境界６４ｂと直交する。
【００２３】
第１袋状部４４ａと第２袋状部４４ｂとの間の第２境界８０ａは、第１袋状部４４ａの向こう側の開口縁部８２を構成し、第２袋状部４４ｂの手前側の開口縁部８０を構成する。
前記第１袋状部４４ａと第２袋状部４４ｂとの第１グループに続く、第２グループの第２袋状部４４ｂと第１グループの第１袋状部４４ａとの間の第４境界８０ｂは、第１グループの第２袋状部４４ｂの向こう側の開口縁部８２を構成し、第２グループの第１袋状部４４ａの手前側の開口縁部８０を構成する。
第１主面部５２と第２主面部５４との間の第１境界６４ａは、第１袋状部４４ａの底縁部６４を構成し、又、前記第１袋状部４４ａと第２袋状部４４ｂとの間の第２境界８０ａの向こう側の、第１主面部５２と第２主面部５４との間の第３境界６４ｂは、第２袋状部４４ｂの底縁部６４を構成している。
【００２４】
第１袋状部４４ａの底縁部６４を構成する第１境界６４ａと第２袋状部４４ｂの底縁部６４を構成する第３境界６４ｂとは、平行に形成されている。手前側の開口縁部８０及び向こう側の開口縁部８２を構成する第２境界８０ａと第４境界８０ｂとは、平行に形成されている。
【００２５】
収納部４０は、底縁部６４にシート嵌挿孔６４Ｓが形成されている。
この実施の形態においては、底縁部６４を構成する第１境界６４ａ及び第３境界６４ｂは、その一部に、第１境界６４ａ及び第３境界６４ｂに沿った直線状のシート嵌挿孔６４Ｓが穿設されている。
底縁部６４は、シート部９０の折り返し片９６の厚みに対応する幅を有し、且つシート部９０の折り返し片９６の幅に対応する長さを備える細長い孔である。
シート部９０は、前記折り返し片９６を、収納部４０側より下方に向けて（収納部材５０の表面側より裏面側に向けて）前記シート嵌挿孔６４Ｓに挿通して、前記折り返し部９４で袋状部４４側に折り返すことによって、前記シート部９０が前記収納部４０の中に固定されている。
【００２６】
第１グループの第１袋状部４４ａを構成する第２主面部５４は、第７境界７２ｂ及び第８境界７４ｂの近くで第２境界８０ａ側に第１凹部８６を形成されている。
また、第２グループの第２袋状部４４ｂを構成する第１主面部５２は、第５境界７２ａ及び第６境界７４ａの近くで第２境界８０ａ側に第１凹部８６を形成され、且つ第２グループの第１袋状部４４ａを構成する第１主面部５２は、第５境界７２ａ及び第６境界７４ａの近くで第４境界８０ｂ側に第２凹部８８を形成されている。
第１袋状部４４ａ及び第２袋状部４４ｂに、被収納物Ｘを収納したときに、第１凹部８６及び第２凹部８８は、第１袋状部４４ａ及び第２袋状部４４ｂを拡開し易くする。
【００２７】
前記折り返し部９４の幅は、前記折り返し片９６の幅より狭く形成され、かつ、前記シート嵌挿孔６４Ｓの長さより狭く形成されている。
【００２８】
前記第１袋状部４４ａを構成する第１主面部５２は、その幅方向における一端（右端）から幅方向にのびて形成される一方の第１係合部材５６ａと、前記第１袋状部４４ａを構成する第１主面部５２の幅方向における他端（左端）から幅方向にのびて形成され、前記一方の係合部材に係合可能に形成された他方の第２係合部材５８ａとを有する。
但し、第２主面部５４は、この実施の形態においては、最も手前側にある第１グループの前記第１袋状部４４ａを構成する第２主面部５４の幅方向における一端（右端）から幅方向にのびて形成される一方の第３係合部材５８ｂと、前記第１袋状部４４ａを構成する第２主面部５４の幅方向における他端（左端）から幅方向にのびて形成され、前記一方の係合部材に係合可能に形成された他方の第４係合部材５６ｂとを有する。そして、最も手前側にある第１グループの前記第１袋状部４４ａを構成する第１主面部５２は、その幅方向における一端（右端）から幅方向にのびて形成される一方の第１係合部材５６ａと、前記第１袋状部４４ａを構成する第１主面部５２の幅方向における他端（左端）から幅方向にのびて形成され、前記一方の係合部材に係合可能に形成された他方の第２係合部材５８ａとを形成されていない。
【００２９】
最も手前側の端の第１主面部５２に連設された第１表紙固定部６０は、舌状に第１主面部５２の端縁より手前側に突設されており、前記第１表紙固定部６０を形成された端とは離れた反対側の最も向こう側の端の第２主面部５４に連設された第２表紙固定部６２は、台形状ないしは舌状に第２主面部５４の端縁より向こう側に突設されている。
【００３０】
第２グループの第１袋状部４４ａを構成する第２係合部材５８ａは、左側の第２側縁部７４（第６境界７４ａ）を挟んで第１主面部５２に連続され、且つ第１係合部材５６ａは、右側の第１側縁部７２（第５境界７２ａ）を挟んで第１主面部５２に連続される。
第１袋状部４４ａを構成する第２係合部材５８ａは、第１袋状部４４ａの幅方向における中央を越える長さを有する略帯状である。第２係合部材５８ａは、第６境界７４ａにおいて第２主面部５４側に折り曲げられたときに、第２主面部５４の向こう側の領域の３分の２位を覆う長さを有している。
第２係合部材５８ａの上縁部は、略直線状であり、第１境界６４ａ及び第３境界６４ｂに続いて形成されている。
第２係合部材５８ａの上縁部は、第６境界７４ａにおいて収納部材５０の表面側（袋状部４４の内側）より裏面側（袋状部４４の外側）に向けて折り曲げられて第２主面部５４の向こう側面（収納部４０とは反対側の面）に重ねられたときに、第１境界６４ａ及び第３境界６４ｂの近傍に位置する。
第１袋状部４４ａを構成する第１係合部材５６ａは、第１袋状部４４ａの幅方向における中央を越える長さを有する略帯状である。第１係合部材５６ａは、第１側縁部７２を構成する第５境界７２ａにおいて第２主面部５４側に折り曲げられたときに、第２主面部５４の向こう側の領域の３分の２位を覆う長さを有している。
第１係合部材５６ａの上縁部は、略直線状であり、第１境界６４ａ及び第３境界６４ｂに続いて形成されている。
第１係合部材５６ａの上縁部は、第５境界７２ａにおいて収納部材５０の表面側（袋状部４４の内側）より裏面側（袋状部４４の外側）に向けて折り曲げられて第２主面部５４の向こう側面（収納部４０とは反対側の面）に重ねられたときに、第１境界６４ａ及び第３境界６４ｂの近傍に位置する。
【００３１】
第１グループの第１袋状部４４ａを構成する第３係合部材５８ｂは、右側の第１側縁部７２（第７境界７２ｂ）を挟んで第２主面部５４に連続され、且つ第４係合部材５６ｂは、左側の第２側縁部７４（第８境界７４ｂ）を挟んで第２主面部５４に連続される。
第１袋状部４４ａを構成する第３係合部材５８ｂは、第１袋状部４４ａの幅方向における中央を越える長さを有する略帯状である。第３係合部材５８ｂは、第７境界７２ｂにおいて第１主面部５２側に折り曲げられたときに、第１主面部５２の手前側の領域の３分の２位を覆う長さを有している。
第３係合部材５８ｂの下縁部は、略直線状であり、第１境界６４ａに続いて形成されている。
第３係合部材５８ｂの下縁部は、第７境界７２ｂにおいて収納部材５０の表面側（袋状部４４の内側）より裏面側（袋状部４４の外側）に向けて折り曲げられて第１主面部５２の手前側の面（収納部４０とは反対側の面）に重ねられたときに、第１境界６４ａの近傍に位置する。
第１グループの第１袋状部４４ａを構成する第４係合部材５６ｂは、第１袋状部４４ａの幅方向における中央を越える長さを有する略帯状である。第４係合部材５６ｂは、第２側縁部７４を構成する第８境界７４ｂにおいて第１主面部５２側に折り曲げられたときに、第１主面部５２の手前側の領域の３分の２位を覆う長さを有している。
第４係合部材５６ｂの下縁部は、略直線状であり、第１境界６４ａに続いて形成されている。
第４係合部材５６ｂの下縁部は、第８境界７４ｂにおいて収納部材５０の表面側（袋状部４４の内側）より裏面側（袋状部４４の外側）に向けて折り曲げられて第１主面部５２の手前側の面（収納部４０とは反対側の面）に重ねられたときに、第１境界６４ａの近傍に位置する。
【００３２】
第１係合部材５６ａ及び第４係合部材５６ｂは、その先端の付近に、第２係合部材５８ａ及び第３係合部材５８ｂと係合させるための係合溝５６ｃが穿設されている。
第１係合部材５６ａと第４係合部材５６ｂとは、係合溝５６ｃの切り込みが、第１係合部材５６ａ及び第４係合部材５６ｂの上端から内方であって、外方に向けて切り込まれることにおいて同じである。第１係合部材５６ａの係合溝５６ｃと第４係合部材５６ｂの係合溝５６ｃとは、テーパー状に切り込まれている。
第２係合部材５８ａ及び第３係合部材５８ｂは、その先端の付近に、第１係合部材５６ａ及び第４係合部材５６ｂと係合させるための係合溝５８ｃが穿設されている。
第２係合部材５８ａと第３係合部材５８ｂとは、係合溝５８ｃの切り込みが、第２係合部材５８ａ及び第３係合部材５８ｂの下端から内方であって、外方に向けて切り込まれることにおいて同じである。第２係合部材５８ａの係合溝５８ｃと第３係合部材５８ｂの係合溝５８ｃとは、テーパー状に切り込まれている。
【００３３】
この実施の形態においては、第２係合部材５８ａ及び第３係合部材５８ｂは、中央付近から先端にかけて細く形成された帯状の挿通部５８ｆを備える。係合溝５８ｃは、挿通部５８ｆに穿設されている。
第２係合部材５８ａは、略々中央までが第１主面部５２と略々同じ幅であり、中央から先端にかけて、細くなった挿通部５８ｆが形成されている。
第３係合部材５８ｂは、略々中央までが第２主面部５４と略々同じ幅であり、中央から先端にかけて、細くなった挿通部５８ｆが形成されている。
この実施の形態においては、第１係合部材５６ａ及び第４係合部材５６ｂは、細く形成された帯状の挿通部５６ｆを備える。係合溝５６ｃは、挿通部５６ｆに穿設されている。
第１係合部材５６ａは、略々中央までが第１主面部５２と略々同じ幅であり、中央から先端にかけて、細くなった挿通部５６ｆが形成されている。
第４係合部材５６ｂは、略々中央までが第２主面部５４と略々同じ幅であり、中央から先端にかけて、細くなった挿通部５６ｆが形成されている。
【００３４】
第１袋状部４４ａを構成する底縁部６４は、第１境界６４ａにおいて谷折りされて第１主面部５２と第２主面部５４とが対向した構造における谷底に形成される。そして、第１袋状部４４ａを構成する第２主面部５４と第２袋状部４４ｂを構成する第１主面部５２との間の第２境界８０ａは、山折りされる。
そして、第１袋状部４４ａに隣り合う第２袋状部４４ｂを構成する底縁部６４は、第３境界６４ｂにおいて谷折りされて第１主面部５２と第２主面部５４とが対向した構造における谷底に形成される。そして、第２袋状部４４ｂを構成する第２主面部５４と第２袋状部４４ｂに隣接する第２グループの第１袋状部４４ａを構成する第１主面部５２との間の第４境界８０ｂは、山折りされる。
第１袋状部４４ａを構成する第２主面部５４と第２袋状部４４ｂを構成する第１主面部５２との間の第２境界８０ａは、山折りされて、第１主面部５２と第２主面部５４とが対向し、第１グループの第１袋状部４４ａを構成する向こう側の開口縁部８２及び第１グループの第２袋状部４４ｂを構成する手前側の開口縁部８０を形成される。
そして、第２グループの第１袋状部４４ａに隣り合う第１グループの第２袋状部４４ｂを構成する第２主面部５４と、第２グループの第１袋状部４４ａを構成する第１主面部５２との間の第４境界８０ｂは、山折りされて、第２グループの第１袋状部４４ａを構成する第１主面部５２と第１グループの第２袋状部４４ｂを構成する第２主面部５４とが対向する。
第２グループの第１袋状部４４ａを構成する第１主面部５２と第１グループの第２袋状部４４ｂを構成する第２主面部５４との間の第４境界８０ｂは、山折りされて、第１主面部５２と第２主面部５４とが対向し、第１グループの第２袋状部４４ｂを構成する向こう側の開口縁部８２及び第２グループの第１袋状部４４ａを構成する手前側の開口縁部８０を形成される。
【００３５】
第１袋状部４４ａを構成する第２主面部５４と第１主面部５２とが続いた底縁部６４を構成する第１境界６４ａとは別の辺の向こう側の開口縁部８２を構成する第２境界８０ａは、それを挟んで隣接する第２袋状部４４ｂを構成する第１主面部５２が連続されるように構成されており、第１袋状部４４ａを構成する複数の第１主面部５２と第２主面部５４とが第２境界８０ａ及び第４境界８０ｂを挟んで交互に連続して並列して形成されている。
【００３６】
シート部９０は、前記折り返し部９４に係合部材嵌挿孔９８を設けられ、前記袋状部４４の側部を構成する係合部材が前記係合部材嵌挿孔９８に通されている。
第２係合部材５８ａは、第６境界７４ａにおいて第２主面部５４側に折り曲げられ、又第２主面部５４の向こう側の面に至り、第１係合部材５６ａは、第５境界７２ａにおいて折り曲げられて、第２主面部５４の向こう側の面に至る。
この実施の形態においては、第１境界６４ａにより形成された底縁部６４に固定されるシート部９０は、第１境界６４ａに形成されたシート嵌挿孔６４Ｓに挿通された折り返し片９６を第１係合部材５６ａ及び第２係合部材５８ａの内側面と第２主面部５４の外側面（向こう側の面）との間に介装される。
第１係合部材５６ａの挿通部５６ｆは、折り返し片９６の第２主面部５４と対向する面側より係合部材嵌挿孔９８に挿通させて、第２主面部５４と対向する面とは反対側に至らしめる。
そして、第１係合部材５６ａの先端近傍と第２係合部材５８ａの先端近傍とが重ね合わされて、第１係合部材５６ａの係合溝５６ｃと第２係合部材５８ａの係合溝５８ｃとが嵌め込まれて、第１係合部材５６ａと第２係合部材５８ａとが先端で係合される。
シート部９０は、第１境界６４ａ及び第３境界６４ｂの内側すなわち収納部４０側において、第１境界６４ａ及び第３境界６４ｂと接し合って並列する。
折り返し部９４は、第１境界６４ａ及び第３境界６４ｂと略々一直線上に並列する。
【００３７】
第３係合部材５８ｂは、第７境界７２ｂにおいて第１主面部５２側に折り曲げられて、第２主面部５４の手前側の面に至り、第４係合部材５６ｂは、第８境界７４ｂにおいて折り曲げられて、第２主面部５４の手前側の面に至る。
この実施の形態においては、第１グループの第３境界６４ｂにより形成された底縁部６４に固定されるシート部９０は、第１境界６４ａに形成されたシート嵌挿孔６４Ｓに挿通された折り返し片９６を第４係合部材５６ｂ及び第３係合部材５８ｂの内側面と第１主面部５２の外側面（手前側の面）との間に介装される。
第３係合部材５８ｂの挿通部５８ｆは、折り返し片９６の第１主面部５２と対向する面側より係合部材嵌挿孔９８に嵌挿させて、第１主面部５２と対向する面とは反対側に至らしめる。
そして、第４係合部材５６ｂの先端近傍と第３係合部材５８ｂの先端近傍とが重ね合わされて、第４係合部材５６ｂの係合溝５６ｃと第３係合部材５８ｂの係合溝５８ｃとが嵌め込まれて、第４係合部材５６ｂと第３係合部材５８ｂとが先端で係合される。
もっとも、係合部材は、折り返し片９６と連結される連結部材としての構造であれば、前記以外の構造でもよい。例えば、係合部材は、折り返し片９６と接着してもよい。
【００３８】
更に、この実施の形態における収納部材５０について、説明する。
第１袋状部４４ａを構成する第１主面部５２と第２主面部５４とは略長方形の板状体であり、第１主面部５２と第２主面部５４との間の第１境界６４ａは、右側から左側に連続する折り曲げ自在な直線状屈曲部を構成している。
第１係合部材５６ａは、第１主面部５２の右側の端において第５境界７２ａを介して連続された略帯状の板状体であり、第２係合部材５８ａは、第１主面部５２の左側の端において第６境界７４ａを介して連設された略帯状の板状体である。
第１主面部５２と第１係合部材５６ａとの間の第５境界７２ａは、上側から下側に連続する折り曲げ自在な直線状屈曲部であり、第１側縁部７２を形成する。
第１主面部５２と第２係合部材５８ａとの間の第６境界７４ａは、上側から下側に連続する折り曲げ自在な直線状屈曲部であり、第２側縁部７４を形成する。
これら第１主面部５２及び第２主面部５４と第１側縁部７２及び第２側縁部７４とにより、第１袋状部４４ａを構成するよう形成されている。
【００３９】
更に、第１グループの第１袋状部４４ａを構成する第２主面部５４の隣り、すなわち前記第１グループの第１袋状部４４ａを構成する第１主面部５２が連設されていない側の第２主面部５４の端縁に、第１グループの第２袋状部４４ｂを構成するための隣接する別の第１主面部５２が並列して連設される。
そして、第１袋状部４４ａを構成する第２主面部５４と第２袋状部４４ｂを構成する第１主面部５２との間に、第１境界６４ａと平行な第２境界８０ａが形成される。
第２境界８０ａは、第１境界６４ａと同様な構造である。
【００４０】
更に、前記第１グループの第２袋状部４４ｂを構成する第２主面部５４に、前記第１グループの第２袋状部４４ｂを構成する第１主面部５２が連設されていない側の端縁において、向こう側に隣接する第２グループの第１袋状部４４ａを構成する第１主面部５２が並列して連設される。
そして、第１グループの第２袋状部４４ｂを構成する第２主面部５４と第２グループの第１袋状部４４ａを構成する第１主面部５２との間に、第２境界８０ａと別の第２境界８０ａと平行な第４境界８０ｂが形成される。
これら別の第２グループの第１主面部５２と第１グループの第２主面部５４とにより、第１グループの第２袋状部４４ｂに第２グループの第１袋状部４４ａを隣接して連続して構成するように形成されている。
向こう側において、それらに続く第１主面部５２及び第２主面部５４は、同様にして第１袋状部４４ａと第２袋状部４４ｂとが交互に形成されるように、第２グループの第１袋状部４４ａ及び第２袋状部４４ｂを構成する第１主面部５２と第２主面部５４とが、順次くり返し、並ぶ。
第１主面部５２と第２主面部５４とは、略同形、同大である。
第１境界６４ａは、第２境界８０ａ及び第４境界８０ｂと略同じ長さを備え、それぞれは、略々等間隔をおいて平行に並ぶ。
【００４１】
この実施の形態においては、第１境界６４ａ及び第３境界６４ｂは、その一部に、シート嵌挿孔６４Ｓを形成されており、シート嵌挿孔６４Ｓによって折り込み易くなっている。
【００４２】
収納部材５０は、収納部材５０の第１主面部５２と第２主面部５４とを第１境界６４ａにおいて谷折りして内面を対向させて第１袋状部４４ａの底縁部６４を形成し且つ第４係合部材５６ｂと第３係合部材５８ｂとを第８境界７４ｂ及び第７境界７２ｂにおいて谷折りして第１主面部５２の手前側の面と対向させて、第１グループの第１袋状部４４ａの側縁部（第１側縁部７２及び第２側縁部７４）を形成する。
収納部材５０は、収納部材５０の第１主面部５２と第２主面部５４とを第３境界６４ｂにおいて谷折りして内面を対向させて第２袋状部４４ｂの底縁部６４を形成し且つ第１係合部材５６ａと第２係合部材５８ａとを第５境界７２ａ及び第６境界７４ａにおいて谷折りして第２主面部５４の向こう側の面と対向させて、第１グループの第２袋状部４４ｂの側縁部（第１側縁部７２及び第２側縁部７４）を形成する。
【００４３】
収納部材５０は、収納部材５０の第１主面部５２と第２主面部５４とを第１境界６４ａにおいて谷折りして、第１主面部５２と第２主面部５４とを対向させ、更に、第２主面部５４とそれに続く第１主面部５２との間の第２境界８０ａを山折りして第２主面部５４と第１主面部５２とを対向させるとともに、第１主面部５２と第２主面部５４とを第１境界６４ａにおいて谷折りして、第１主面部５２と第２主面部５４とを対向させ、更に、第２主面部５４とそれに続く第１主面部５２との間の第２境界８０ａを山折りして第２主面部５４と第１主面部５２とを対向させて、第１グループを構成する第１袋状部４４ａの第１主面部５２及び第２主面部５４、第２袋状部４４ｂの第１主面部５２及び第２主面部５４とを連続して並列させる。
そして、第１係合部材５６ａを第５境界７２ａで谷折りして、第１係合部材５６ａを第２主面部５４の向こう側に対向させ、且つ、第２係合部材５８ａを第６境界７４ａで谷折りして、第２係合部材５８ａを第２主面部５４の向こう側に対向させる。それとともに、第３係合部材５８ｂを第１主面部５２の手前側に対向させ、且つ、第４係合部材５６ｂを第８境界７４ｂで谷折りして、第４係合部材５６ｂを第１主面部５２の手前側に対向させる。第１係合部材５６ａと第１主面部５２とを対向させ且つ第３境界６４ｂにおいて谷折りして、第２係合部材５８ａと第１主面部５２とを対向させる。
【００４４】
第２境界８０ａにおいて連続する第１袋状部４４ａを構成する第２主面部５４と第２袋状部４４ｂを構成する第１主面部５２とを山折りして向こう側の開口縁部８２を形成し、第１袋状部４４ａと第２袋状部４４ｂとが、向こう側の開口縁部８２を構成する第２境界８０ａを介して並列される複数の袋状部４４を並列連続した、収納部４０を形成されている。
【００４５】
この収納部材５０には、収納部材５０の幅方向に延びる底縁部６４を構成する第１境界６４ａと向こう側の開口縁部８２を構成する第２境界８０ａとが交互に連続して設けられ、これら第１境界６４ａと第２境界８０ａとをそれぞれ山折り及び谷折りに、ジグザグに折曲げることにより、第１主面部５２と第２主面部５４とによって袋状部４４の内側面が形成される。
さらに、第１係合部材５６ａ及び第２係合部材５８ａは、第２主面部５４の対向する外側面であって、第１境界６４ａの上側に位置するように第２主面部５４側へ折込まれる。
【００４６】
このように、収納部材５０を折曲げることにより、隣り合う二つの第２境界８０ａによって袋状部４４の開口部４８が形成され、第１境界６４ａによって袋状部４４の底縁部６４が形成されて、開口部４８と底縁部６４とを有する第１袋状部４４ａと第２袋状部４４ｂとが蛇腹状に連続して複数並列して設けられた袋状部４４が成形される。
収納部４０は、複数の第１袋状部４４ａと第２袋状部４４ｂとが交互に並列された複数の袋状部４４により構成されている。
【００４７】
最も端の第１主面部５２及び／又は最も端の第２主面部５４に、収納部４０を覆うように表紙部２０を固定されている。
この実施の形態においては、最も手前側の第１主面部５２の第１表紙固定部６０を表胴部２２の内面に形成された第１嵌挿部２８に嵌挿されて固定され、且つ、最も向こう側の第２主面部５４の第２表紙固定部６２を裏胴部２４の内面に形成された第２嵌挿部３０に嵌挿されて固定されている。
第１嵌挿部２８及び第２嵌挿部３０は、表胴部２２と底部２６及び裏胴部２４と底部２６との間のヒンジ部（屈曲線１３０ａ及び屈曲線１３０ｃで構成される）と、略々平行に形成される。そして、第１嵌挿部２８及び第２嵌挿部３０に嵌挿されて表紙部２０に固定された収納部４０の底縁部６４及び開口部４８は、表胴部２２と底部２６及び裏胴部２４と底部２６との間のヒンジ部（屈曲線１３０ａ及び屈曲線１３０ｃで構成される）と、平行に並ぶ。
【００４８】
表紙部２０は、図２４ないし図２８に示すように、次の構造を備える。
表胴部２２は、第１袋状部４４ａの外形より一回り大きな方形板状体であって、上縁２２ａと右側縁２２ｂと左側縁２２ｃと下縁２２ｄとを備える。
裏胴部２４は、第２袋状部４４ｂより一回り大きな方形板状体であって、上縁２４ａと右側縁２４ｂと左側縁２４ｃと下縁２４ｄとを備える。
表胴部２２及び裏胴部２４は、第１袋状部４４ａ及び第２袋状部４４ｂと略々相似形である。
表紙部２０は、表紙部材１２０により構成されている。
表紙部材１２０は、表胴部２２を構成する外側部１２２ａ及び内側部１２２ｂと、裏胴部２４を構成する外側部１２４ａ及び内側部１２４ｂと、表胴部２２を構成する内側部１２２ｂと、裏胴部２４を構成する内側部１２４ｂとの間に介在する底部２６とを備える。
外側部１２２ａと内側部１２２ｂと底部２６と外側部１２４ａと内側部１２４ｂとは、屈曲線１３０で区画されている。各屈曲線１３０は、各々平行に形成されている。
【００４９】
表胴部２２を構成する外側部１２２ａと内側部１２２ｂとは、略々同じ方形板状体であり、表胴部２２は、外側部１２２ａと内側部１２２ｂとの複数の層からなる積層構造体である。
裏胴部２４を構成する外側部１２４ａと内側部１２４ｂとは、方形板状体であり、裏胴部２４は、外側部１２４ａと内側部１２４ｂとの複数の層からなる積層構造体である。
底部２６は、表胴部２２及び裏胴部２４より幅の狭い方形板状体である。
底部２６の手前側に屈曲線１３０ａを介して、表胴部２２を構成する外側部１２２ａが並列され、外側部１２２ａの手前側に屈曲線１３０ｂを介して、表胴部２２を構成する内側部１２２ｂが並列されている。
底部２６の向こう側に屈曲線１３０ｃを介して、裏胴部２４を構成する内側部１２４ｂが並列され、内側部１２４ｂの外側に裏胴部２４を構成する外側部１２４ａが積層されている。
【００５０】
表胴部２２の内側部１２２ｂは、第１表紙固定部６０を嵌挿するためのスリット状の第１嵌挿部２８を形成されている。第１嵌挿部２８は、内側部１２２ｂの略中央において右側から左側にのびるように形成されている。第１嵌挿部２８は、表紙部２０の開口端縁側の近くに収納部４０の開口部４８が位置するように構成されている。
裏胴部２４の内側部１２４ｂは、第２表紙固定部６２を嵌挿するためのスリット状の第２嵌挿部３０を形成されている。第２嵌挿部３０は、内側部１２４ｂの略中央において右側から左側にのびるように形成されている。第２嵌挿部３０は、表紙部２０の開口端縁側の近くに収納部４０の開口部４８が位置するように構成されている。
【００５１】
表紙部材１２０により表紙部２０を形成する方法について、主として図２６〜図３１に基づいて説明する。
【００５２】
表胴部２２を構成する外側部１２２ａと内側部１２２ｂとは、略々同じ方形板状体であり、外側部１２２ａは、内側部１２２ｂの下端縁に取り付けられて、内側部１２２ｂの内側面に重ね合わされて固定される。そのとき、収納部４０の第１表紙固定部６０を、第１嵌挿部２８に嵌挿させ、外側部１２２ａと内側部１２２ｂとの間に第１表紙固定部６０を固定する。
而して、表胴部２２は、外側部１２２ａと内側部１２２ｂとの複数の層からなる積層構造体を形成するように構成されている。
裏胴部２４を構成する外側部１２４ａと内側部１２４ｂとは、方形板状体であり、内側部１２４ｂは、折り曲げ線において折り曲げて、外側部１２４ａの内側面に重ね合わされて固定される。そのとき、収納部４０の第２表紙固定部６２を、第２嵌挿部３０に嵌挿させ、外側部１２４ａと内側部１２４ｂとの間に第２表紙固定部６２を固定する。
而して、裏胴部２４は、外側部１２４ａと内側部１２４ｂとの複数の層からなる積層構造体を形成するように構成されている。
底部２６は、表胴部２２及び裏胴部２４より小さな方形板状体である。
底部２６の手前側に屈曲線１３０ａを介して、表胴部２２を構成する外側部１２２ａが並列され、外側部１２２ａの手前側に屈曲線１３０ｂを介して、表胴部２２を構成する内側部１２２ｂが並列されている。
【００５３】
この発明は、前記実施の形態に限定することなく、この発明の思想に基づき、変更することができる。
例えば、係合部材（第１係合部材５６ａ，第４係合部材５６ｂ，第２係合部材５８ａ，第３係合部材５８ｂ）は、第１主面部５２と第２主面部５４とを側縁部において連結する連結部材としての構造を備えていればよい。又、係合部材は、第１係合部材５６ａと第２係合部材５８ａ及び第４係合部材５６ｂと第３係合部材５８ｂと連結される連結部材としての構造を備えていればよい。
又、第１主面部５２及び第２主面部５４は、対向して収納部４０を構成することができる構造を備えていればよい。
【００５４】
前記一方の第１係合部材５６ａと他方の第２係合部材５８ａとは、前記袋状部４４の幅方向における長さが異なり、第４係合部材５６ｂと第３係合部材５８ｂとは、前記袋状部４４の幅方向における長さが異なるように構成してもよい。
第１袋状部４４ａの一方の左側の第２係合部材５８ａは、他方の右側の第１係合部材５６ａより長く、前記第１袋状部４４ａと隣り合う第２袋状部４４ｂの一方の右側の第３係合部材５８ｂは、他方の左側の第４係合部材５６ｂより長く形成されている。
この場合、前記複数の袋状部４４において、前記一方の第１係合部材５６ａと他方の第２係合部材５８ａ及び前記一方の第４係合部材５６ｂと他方の第３係合部材５８ｂが係合されると、第１袋状部４４ａと第２袋状部４４ｂとにおいてそれぞれの係合部分は、前記袋状部４４の幅方向における（中央の両側である）一端側及び他端側に交互に配置される。
複数の袋状部（第１袋状部４４ａ，第２袋状部４４ｂ）において一方の係合部材（第１係合部材５６ａ，第２係合部材５８ａ）及び他方の係合部材（第４係合部材５６ｂ，第３係合部材５８ｂ）が係合されるそれぞれの部分が、袋状部４４の幅方向における中央の両側である一端側及び他端側に交互に配置されていると、一方の係合部材（第１係合部材５６ａ，第２係合部材５８ａ）及び他方の係合部材（第４係合部材５６ｂ，第３係合部材５８ｂ）の係合される部分の厚みが分散されるので、全体の厚みが一部分に偏らない。
この場合、シート部９０の折り返し片９６の位置は、短い方の係合部材の長さに合わせて、シート部９０の幅方向における中央より偏移させ、長い方の係合部材と接し合う位置に、位置するように構成する。
【００５５】
また、図１８において示すように、前記袋状部４４の幅方向における両側の収納部４０が上方に向かうに従って広がるように、前記袋状部４４の幅方向における一端である第１側縁部７２及び他端である第２側縁部７４は、斜めに形成されて、正面視台形状に形成されてもよい。
【００５６】
シート部９０は、折り返し部９４及び折り返し片９６を単独ではなく、複数で形成してもよい。
例えば、図１９において示すように、左右に分離された第１折り返し部９４Ａと第２折り返し部９４Ｂのそれぞれに、折り返し片（第１折り返し片９６Ａ及び第２折り返し片９６Ｂ）を形成する。
第１折り返し片９６Ａは、第１係合部材嵌挿孔９８Ａを形成され、第２折り返し片９６Ｂは、第２係合部材嵌挿孔９８Ｂを形成される。
袋状部４４の底縁部６４は、前記第１折り返し片９６Ａ及び第２折り返し片９６Ｂの位置に対応して、左右に分割された第１シート嵌挿孔６４Ｓ1と第２シート嵌挿孔６４Ｓ2とを形成される。
第１折り返し片９６Ａは、第１シート嵌挿孔６４Ｓ1に嵌挿されて、袋状部４４側に折り返される。
第３係合部材５８ｂは、第１折り返し片９６Ａの第１係合部材嵌挿孔９８Ａに挿通され、第３係合部材５８ｂと重なる第４係合部材５６ｂの係合溝５６ｃに係合される。
第２折り返し片９６Ｂは、第２シート嵌挿孔６４Ｓ2に嵌挿されて、袋状部４４側に折り返される。
第４係合部材５６ｂは、第２折り返し片９６Ｂの第２係合部材嵌挿孔９８Ｂに挿通され、第４係合部材５６ｂと重なる第３係合部材５８ｂの係合溝５８ｃに係合される。
【００５７】
折り返し片９６は、その形状を図２０及び図２１に示すように、シート嵌挿孔６４Ｓに挿通され、且つ、挿通された折り返し片９６がシート嵌挿孔６４Ｓより抜けない構造としてもよい。そして、折り返し片９６は、折り返し部９４においてシート嵌挿孔６４Ｓに嵌合されて取り付けられる形状としてもよい。
折り返し片９６は、シート嵌挿孔６４Ｓに係合されるので、係合部材嵌挿孔９８を形成されなくてもよい。
係合部材（第４係合部材５６ｂ及び第３係合部材５８ｂ）は、係合溝（係合溝５６ｃ及び係合溝５８ｃ）において、係合される。
【００５８】
前記シート部９０は、図２２において示すように、両側部に折り返し部９４を介して左右一対の第１折り返し片９６Ａ及び第２折り返し片９６Ｂが設けられ、前記第１折り返し片９６Ａ及び第２折り返し片９６Ｂは、前記袋状部４４の側部に穿設された第１シート嵌挿孔６４Ｓ1及び第２シート嵌挿孔６４Ｓ2に嵌挿される構成としてもよい。第１折り返し片９６Ａは、係合部材（第４係合部材５６ｂ及び第３係合部材５８ｂ）とともに折り返して前記袋状部４４に第１シート部９０Ａ及び第２シート部９０Ｂが取り付けられてもよい。
係合部材（第４係合部材５６ｂ及び第３係合部材５８ｂ）は、係合溝（係合溝５６ｃ及び係合溝５８ｃ）において、係合される。
【００５９】
第１係合部材５６ａ（第４係合部材５６ｂ）及び第２係合部材５８ａ（第３係合部材５８ｂ）は、図２３において示すように、係合溝５６ｃ及び係合溝５８ｃにより係合される構造ではなく、短い長さに形成してもよい。
その場合、第１係合部材５６ａ（第４係合部材５６ｂ）と第２係合部材５８ａ（第３係合部材５８ｂ）との連結は、シート部９０の折り返し片９６においてなされるように構成する。
シート部９０の折り返し片９６は、第１係合部材５６ａ（第４係合部材５６ｂ）と係合される係合部材係止溝９８Ｃと第２係合部材５８ａ（第３係合部材５８ｂ）の係合溝５８ｃと係合される係合部材係止溝９８Ｄとを、それぞれ左右に分離された、左右一対の構成にする。
【符号の説明】
【００６０】
１０  収納具
２０  表紙部
２２  表胴部
２２ａ，２４ａ  上縁
２２ｂ，２４ｂ，３２ｂ  右側縁
２２ｃ，２４ｃ，３２ｃ  左側縁
２２ｄ，２４ｄ，３２ｄ  下縁
２４  裏胴部
２６  底部
２８  第１嵌挿部
３０  第２嵌挿部
４０  収納部
４２ａ  第１収納部（手前側）
４２ｂ  第２収納部（向こう側）
４４  袋状部
４４ａ  第１袋状部
４４ｂ  第２袋状部
４８  開口部
５０  収納部材
５２  第１主面部
５４  第２主面部
５６ａ  第１係合部材
５６ｂ  第４係合部材
５６ｃ，５８ｃ  係合溝
５８ａ  第２係合部材
５８ｂ  第３係合部材
５６ｆ，５８ｆ  挿通部
６０  第１表紙固定部
６２  第２表紙固定部
６４  底縁部
６４ａ  第１境界
６４ｂ  第３境界
６４Ｓ  シート嵌挿孔
６４Ｓ1  第１シート嵌挿孔
６４Ｓ2  第２シート嵌挿孔
７２  第１側縁部（右側）
７２ａ  第５境界
７２ｂ  第７境界
７４  第２側縁部（左側）
７４ａ  第６境界
７４ｂ  第８境界
８０  手前側の開口縁部
８０ａ  第２境界
８０ｂ  第４境界
８２  向こう側の開口縁部
８６  第１凹部
８８  第２凹部
９０  シート部
９０Ａ  第１シート部
９０Ｂ  第２シート部
９２ａ  上縁部
９２ｂ  下縁部
９２ｃ  右側縁部
９２ｄ  左側縁部
９４  折り返し部
９４Ａ  第１折り返し部
９４Ｂ  第２折り返し部
９６  折り返し片
９６Ａ  第１折り返し片
９６Ｂ  第２折り返し片
９８  係合部材嵌挿孔
９８Ａ  第１係合部材嵌挿孔
９８Ｂ  第２係合部材嵌挿孔
９８Ｃ，９８Ｄ  係合部材係止溝
１２０  表紙部材
１３０，１３０ａ，１３０ｂ，１３０ｃ  屈曲線
Ｘ  被収納物
【図１】
2014133307.tif 000003
【図２】
2014133307.tif 000004
【図３】
2014133307.tif 000005
【図４】
2014133307.tif 000006
【図５Ａ】
2014133307.tif 000007
【図５Ｂ】
2014133307.tif 000008
【図６】
2014133307.tif 000009
【図７】
2014133307.tif 000010
【図８】
2014133307.tif 000011
【図９】
2014133307.tif 000012
【図１０】
2014133307.tif 000013
【図１１】
2014133307.tif 000014
【図１２】
2014133307.tif 000015
【図１３】
2014133307.tif 000016
【図１４】
2014133307.tif 000017
【図１５】
2014133307.tif 000018
【図１６】
2014133307.tif 000019
【図１７Ａ】
2014133307.tif 000020
【図１７Ｂ】
2014133307.tif 000021
【図１８】
2014133307.tif 000022
【図１９】
2014133307.tif 000023
【図２０】
2014133307.tif 000024
【図２１】
2014133307.tif 000025
【図２２】
2014133307.tif 000026
【図２３】
2014133307.tif 000027
【図２４】
2014133307.tif 000028
【図２５】
2014133307.tif 000029
【図２６】
2014133307.tif 000030
【図２７】
2014133307.tif 000031
【図２８】
2014133307.tif 000032